(57)【要約】【課題】子供では簡単に窓を開閉できない突っ張り棒を提供することを目的とする。【解決手段】引き違い戸７と窓外枠９との間に配置される。両端には、接着面３を有する端部材４を配置した。接着面３により、引き違い戸７や窓外枠９に固定されて、落下しないようにする。端部材４により、引き違い戸７や窓外枠９の凹凸のある面に密着する。中間には、複数の部分に分割されて、それぞれ蝶番１により折り畳み可能な状態で連結されたつっぱり機能部２を有する。従って、常時は引き違い戸の開閉を阻止して幼児による戸の開閉を阻止する。また、つっぱり機能部２を折り畳めば、つっぱり棒１０全体を外すことなく、引き違い戸の開閉ができる。【選択図】図７
2011026934.tif 000002
【特許請求の範囲】
【請求項１】
引き違い戸７に接着面３を介して固定される端部材４と、窓外枠９に接着面３を介して固定される端部材４との間に、複数の部分に分割されて蝶番１により折り畳み可能な状態で連結されたつっぱり機能部２を備え、前記引き違い戸７と前記窓外枠９との間に配置されて引き違い戸７の開閉を阻止するためのつっぱり棒。
【請求項２】
請求項１に記載のつっぱり棒において、
前記つっぱり機能部２は長さ方向に伸縮する機能を有することを特徴とするつっぱり棒。
【請求項３】
請求項２に記載のつっぱり棒において、
前記蝶番１の屈曲を阻止する状態と屈曲を許容する状態を切り替えるストッパー５を備えることを特徴とするつっぱり棒。
【請求項４】
引き違い戸７に第１の接着面３ａを介して固定される第１の端部材４ａと、この第１の端部材４ａに第１の蝶番１ｂを介して連結された第１のつっぱり機能部２ａと、この第１のつっぱり機能部２ａに第２の蝶番１ａを介して連結された第２のつっぱり機能部２ｂと、この第２のつっぱり機能部２ｂに第３の蝶番１ｃを介して連結され、窓外枠９に第２の接着面３ｂを介して固定される第２の端部材４ｂとを備えたことを特徴とするつっぱり棒。
【請求項５】
請求項４に記載のつっぱり棒において、
前記第１のつっぱり機能部２ａと第２のつっぱり機能部２ｂとは長さ方向に伸縮する機能を有することを特徴とするつっぱり棒。
【請求項６】
請求項５に記載のつっぱり棒において、
前記第２の蝶番１ａで連結された前記第１のつっぱり機能部２ａと前記第２のつっぱり機能部２ｂの連結部には、前記第１のつっぱり機能部２ａと前記第２のつっぱり機能部２ｂの間を、前記第２の蝶番１ａで連結された場所以外の場所で開閉可能に連結して、前記第２の蝶番１ａによる屈曲を阻止する状態と屈曲を許容する状態を切り替えるストッパー５を備えることを特徴とするつっぱり棒。
【請求項７】
請求項１乃至６のいずれかに記載のつっぱり棒において、
前記端部材４は、つっぱりにより加圧されると圧縮変形される軟質素材であることを特徴とするつっぱり棒。
【発明の詳細な説明】
【技術分野】
【０００１】  本発明は、一般家庭の引き違いサッシ窓からの幼児落下を防止する為のつっぱり棒に関する。
【背景技術】
【０００２】  一般の窓の鍵は子供でも簡単に外すことができる。従って、子供が勝手に窓を開いて、マンションのベランダから転落するといった事故が起きている。窓の鍵を複雑にしたり、柵を使用したりすると、大人がベランダを使用するときに開閉・出入りに手間取る。また、賃貸などで窓に傷をつけられない住宅もある。そこで、突っ張り棒を用いて窓の開閉を阻止することが考えられる。【０００３】  従来のつっぱり棒には家具と壁面、側壁面などにレバーを回動することにより固定させるものがある（特許文献１参照）。また、つっぱり棒を設けて内障子を中開きで停止させ換気防犯機能が果たせるようにした窓ストッパーがある（特許文献２参照）。その他、取り付け取り外しが簡単なつっぱり棒（特許文献３参照）（特許文献４参照）、転落防止補助柵（特許文献５参照）がある。【０００４】  以下図５，６により従来のつっぱり棒について説明する。
図において、２は側壁面等に接する部位、１１が主本体で１０が伸縮部位である。図５では１０ａを回転させて棒の長さを伸縮させる。図６では伸縮部位１０ｂで幅の調節後１３のネジで長さを固定。取り付け後、１４のレバーを回動させることで長さの微調整ができ、より強く圧接させる事が出来る。
【先行技術文献】
【特許文献】
【０００５】
【特許文献１】特開平９−２６２１４７号公報
【特許文献２】特開平１０−１３１５８８号公報
【特許文献３】特開２００４−１３００３８号公報
【特許文献４】実開平６−２９４４７号公報
【特許文献５】特開２００８−３８４６２号公報
【発明の概要】
【発明が解決しようとする課題】
【０００６】  既知の従来の技術には、次のような解決すべき課題があった。
突っ張り棒をそのつど外して出入りするのは不便である。また、簡単に外れるようにしておくと、振動で落下したり、子供が簡単に外したりしてしまうおそれがある。上記の課題を解決するために、本発明は、子供では簡単に窓を開閉できない突っ張り棒を提供することを目的とする。
【課題を解決するための手段】
【０００７】    以下の構成はそれぞれ上記の課題を解決するための手段である。
〈構成１〉
引き違い戸７に接着面３を介して固定される端部材４と、窓外枠９に接着面３を介して固定される端部材４との間に、複数の部分に分割されて蝶番１により折り畳み可能な状態で連結されたつっぱり機能部２を備え、前記引き違い戸７と前記窓外枠９との間に配置されて引き違い戸７の開閉を阻止するためのつっぱり棒。【０００８】  〈構成２〉
構成１に記載のつっぱり棒において、前記つっぱり機能部２は長さ方向に伸縮する機能を有することを特徴とするつっぱり棒。【０００９】  〈構成３〉
構成２に記載のつっぱり棒において、前記蝶番１の屈曲を阻止する状態と屈曲を許容する状態を切り替えるストッパー５を備えることを特徴とするつっぱり棒。【００１０】  〈構成４〉
引き違い戸７に第１の接着面３を介して固定される第１の端部材４と、この第１の端部材４に第１の蝶番１を介して連結された第１のつっぱり機能部２と、この第１のつっぱり機能部２に第２の蝶番１を介して連結された第２のつっぱり機能部２と、この第２のつっぱり機能部２に第３の蝶番１を介して連結され、窓外枠９に第２の接着面３を介して固定される第２の端部材４とを備えたことを特徴とするつっぱり棒。【００１１】  〈構成５〉
構成４に記載のつっぱり棒において、前記第１のつっぱり機能部２と第２のつっぱり機能部２とは長さ方向に伸縮する機能を有することを特徴とするつっぱり棒。【００１２】  〈構成６〉
構成５に記載のつっぱり棒において、前記第２の蝶番１で連結された前記第１のつっぱり機能部２と前記第２のつっぱり機能部２の連結部には、前記第１のつっぱり機能部２と前記第２のつっぱり機能部２の間を、前記第２の蝶番１で連結された場所以外の場所で開閉可能に連結して、前記第２の蝶番１による屈曲を阻止する状態と屈曲を許容する状態を切り替えるストッパー５を備えることを特徴とするつっぱり棒。
〈構成７〉
構成１乃至６のいずれかに記載のつっぱり棒において、
前記端部材４はつっぱりにより加圧されると圧縮変形される軟質素材であることを特徴とするつっぱり棒。
【発明の効果】
【００１３】  〈構成１の効果〉
引き違い戸７と窓外枠９との間に配置され、接着面３により、引き違い戸７や窓外枠９に固定されて落下しない。つっぱり機能部２を折り畳めば、つっぱり棒全体を外すことなく、引き違い戸の開閉ができる。
〈構成２の効果〉
引き違い戸と窓外枠との間の距離に応じて、全長を調整できる。
〈構成３の効果〉
蝶番１の屈曲を阻止する簡単な構造のストッパー５を設けて、幼児が簡単につっぱり状態を解除できないようにした。
【図面の簡単な説明】
【００１４】
【図１】本発明の窓を閉じた時の実施形態を示す幼児落下防御つっぱり棒。
【図２】引き違いサッシ窓を開けた時の同幼児落下防御つっぱり棒の状態。
【図３】右側網戸で固定するようサッシ窓に取り付けた実施状態における断面図。
【図４】左側網戸で固定するようサッシ窓に取り付けた実施状態における断面図。
【図５】従来のつっぱり棒。
【図６】回転レバーの付いた従来のつっぱり棒。
【図７】実施例のつっぱり棒２０の使用状態を示す斜視図。
【図８】ストッパーの実施例側面図。
【図９】引き違いサッシ窓を右側網戸で固定するよう取り付けた実施状態。
【発明を実施するための形態】
【００１５】  以下、本発明の実施の形態を実施例毎に詳細に説明する。
【実施例１】
【００１６】  図７は実施例のつっぱり棒２０の使用状態を示す斜視図である。
このつっぱり棒２０は、引き違い戸７に接着面３を介して固定される端部材４と、窓外枠９に接着面３を介して固定される端部材４との間に、複数の部分に分割されて蝶番１により折り畳み可能な状態で連結されたつっぱり機能部２を備える。【００１７】  つっぱり棒２０は、引き違い戸７と窓外枠９との間に配置される。両端には、接着面３を有する端部材４を配置した。接着面３には、既知の各種の粘着性、接着性の材料を配置して、引き違い戸７や窓外枠９に固定されて、落下しないようにする。端部材４は、例えば、つっぱりにより加圧されると圧縮変形されるゴムブロック等の軟質部材で、引き違い戸７や窓外枠９の凹凸のある面に密着することが好ましい。中間には、複数の部分に分割されて、それぞれ蝶番１により折り畳み可能な状態で連結されたつっぱり機能部２を有する。従って、常時は引き違い戸の開閉を阻止して幼児による戸の開閉を阻止する。また、つっぱり機能部２を折り畳めば、つっぱり棒２０全体を外すことなく、引き違い戸の開閉ができる。【００１８】  この実施例では、つっぱり機能部２は長さ方向に伸縮する機能を有する。つっぱり機能部２は、従来のつっぱり棒２０と同様に、パイプとコイルスプリング等を有する構造で、長さ方向に伸縮できることが好ましい。これにより、引き違い戸と窓外枠との間の距離に応じて、全長を調整できる。端部材４軟質部材のときには、その部分でも若干の長さ調整ができる。【００１９】  図８は、ストッパーの実施例側面図である。
この実施例では、蝶番１の屈曲を阻止する状態と屈曲を許容する状態を切り替えるストッパー５を備える。幼児が簡単につっぱり状態を解除できないように、蝶番１の屈曲を阻止する簡単な構造のストッパー５を設けることが好ましい。例えば、図８に示すように、蝶番１部分を包囲して、屈曲を阻止するスリーブを設けるとよい。スリーブを横にシフトすると、蝶番１部分が露出して、屈曲を許容する。
【実施例２】
【００２０】  図１は本発明のつっぱり棒２０の実施例側面図である。
図２は本発明のつっぱり棒２０の使用状態を示す側面図である。
この実施例のつっぱり棒２０は、接着面３ａを有する第１の端部材４ａと、この第１の端部材４ａに第１の蝶番１ｂを介して連結された第１のつっぱり機能部２ａと、この第１のつっぱり機能部２ａに第２の蝶番１ａを介して連結された第２のつっぱり機能部２ｂと、この第２のつっぱり機能部２ｂに第３の蝶番１ｃを介して連結され、接着面３ｂを有する第２の端部材４ｂとを備える。【００２１】  第１のつっぱり機能部２ａと第２のつっぱり機能部２ｂとは長さ方向に伸縮する機能を有する。また、第２の蝶番１ａで連結された第１のつっぱり機能部２ａと第２のつっぱり機能部２ｂの連結部には、第１のつっぱり機能部２ａと第２のつっぱり機能部２ｂの間を、第２の蝶番１ａで連結された場所以外の場所で開閉可能に連結して、第２の蝶番１ａによる屈曲を阻止する状態と屈曲を許容する状態を切り替えるストッパー５を備える。ストッパー５は、フックでもスナップでもよい。【００２２】  図１と２において、１は屈折させるための蝶番、２は高所に固定可能な軽量素材のつっぱり機能部、３は窓枠とサッシ窓との接着面で垂直凹凸面の接着となるため流れを止めた高粘度の接着剤を使用、接着後は四季の温度変化、風雨、開閉時の振動に適したもので端部材４に付随されている。５は開閉するためのストッパー、６は幼児落下防御棒本体。なお、つっぱり機能部２や幼児落下防御棒本体６は、アルミニュームパイプ等により構成する。また、高粘度の接着剤には、パテや生ゴム等を使用する。【００２３】  つっぱり棒の機能２により窓幅の調節と開閉防止をする。ベランダへの出入りなど開閉の必要のある時はストッパー５を外し蝶番１の機能により屈折させ窓を開ける。その際３，４の接着により棒本体は落下せず、高所に固定される。幼児の手の届かない高所に取り付けるため子供による棒へのいたずら防止となる。【００２４】  図３、図４、図９においては取り付け方の説明。２枚引き違いサッシ窓で２本使用。換気などガラスを開け右側を網戸状にする場合が図３・図９、窓枠９ａと網戸７に本体６Ａを設置、ガラス窓枠８ｂと外枠９ｂに本体６Ｂを設置。８ａの引き違いサッシ窓だけ開けることにより換気が可能となり出入りは防止できる。左側を網戸状にする場合が図４、網戸７と外窓枠９ｂに本体６Ａを設置。ガラス窓枠８ａと外窓枠９ａに本体６Ｂを設置。ガラス窓８ｂを開けることにより、網戸状で固定され出入りは防止される。【００２５】  本発明の第１の解決手段によれば、主となる２つの棒（２ａ、２ｂ）のつっぱり棒の機能により窓幅の調整ができ、開閉防止と同時に中央（１ａ）、左（１ｂ）右（１ｃ）両端の蝶番構造部により屈折させる事ができるため、引き違いサッシ窓を開閉しての出入りが可能となる。また、第２の解決手段によれば、子供の手が届かず出入りの阻害にならぬよう高所に取り付けるため、窓枠とガラス窓枠との接着面（３ａ、３ｂ）には接着剤を使用し、棒の両端（４ａ、４ｂ）がゴム製などの軟性素材になっているため凹凸面に密着させることができる。【００２６】  以上のように、本発明では、突っ張り棒が、ストッパーを外すと中間で折り曲げられるようになっているから、この突っ張り棒を使って、窓が開かないように固定する。窓を明けたいときには、蝶番の部分のストッパーをはずして、突っ張り棒を折り曲げる。これにより、突っ張り棒を外さなくても、窓を開閉できる。従って、引き違いサッシ窓での開閉による子供の落下を防止するとともに、ベランダへの出入りなど必要に応じて窓を開閉することができる。雨戸や、網戸も同様にして固定できる。幼児の落下防止のほかに、防犯にも使用できる。
【符号の説明】
【００２７】１    蝶番
２    つっぱり機能部
３    接着面
４    固定させるための軟性素材
５    ストッパー
６    幼児転落防御棒本体
７    網戸
８    引き違いサッシ窓ガラス
９    窓外枠
１０  伸縮部位
１１  つっぱり棒主本体
１２  接着部
１３  長さ固定ネジ
１４  回動レバー
２０  つっぱり棒
【図１】
2011026934.tif 000003
【図２】
2011026934.tif 000004
【図３】
2011026934.tif 000005
【図４】
2011026934.tif 000006
【図５】
2011026934.tif 000007
【図６】
2011026934.tif 000008
【図７】
2011026934.tif 000009
【図８】
2011026934.tif 000010
【図９】
2011026934.tif 000011